(57)【特許請求の範囲】
【請求項１】
相手側コネクタハウジングが備えている嵌合開口に対して挿入嵌合される、複数列のコンタクト受容通路を有するハウジング本体と、該ハウジング本体に設けられて、前記相手側コネクタハウジングを嵌合位置にロックする弾性ロック片とを備えたコネクタハウジングにおいて、
前記弾性ロック片は、前記複数列のコンタクト受容通路のうち最上列内に設けられ、
前記ハウジング本体の嵌合端から嵌合方向に延設されて、前記相手側コネクタハウジングに形成された係合凸部を案内し且つ底部に前記弾性ロック片を露出させた案内開口と、該案内開口を画定する側壁を形成し且つ前記弾性ロック片の両側縁部の全長にわたって該両側縁部の上方に覆い被さるフードとを備えてなることを特徴とするコネクタハウジング。
【発明の詳細な説明】
【０００１】
【発明の属する技術分野】
本発明はコネクタハウジングに関し、特に、相手側コネクタハウジングを嵌合位置にロックする弾性ロック片を備えたコネクタハウジングに関する。
【０００２】
【従来の技術】
従来、例えば図７の左方に示されているコネクタハウジング３０の取付け板面３１上に、このコネクタハウジング３０が挿入される、図７の右方に示されている相手側ピンコネクタのハウジング４０を嵌合位置にロックする弾性ロック片３２を備えたものが知られている。
【０００３】
この場合、相手側ピンコネクタのハウジング４０には、その嵌合開口４１に連続してこのハウジング４０の上板面側に係合凹部４２がこのハウジング４０の嵌合方向に沿って形成され、コネクタハウジング３０には、嵌合状態でピンコネクタのハウジング４０の上板面と対向する取付け板面３１の上記係合凹部４２に対応する位置に、取付け板面３１から離れる方向に弾性的に付勢された上記弾性ロック片３２が前端を支点にして揺動自在に取り付けられている。この弾性ロック片３２の上面には、上記係合凹部４２との間でロック機構を構成する係合突起３４，３４が突設され、また、弾性ロック片３２の後部自由端にはロック解除用の操作部３５が形成されている。さらに、上記弾性ロック片３２には上記嵌合開口４１に対する嵌合端側から嵌合方向に沿って案内溝３３が形成され、この案内溝３３に係合する係合片４３が上記係合凹部４２に突出形成された構成を有する  （実公平２−１８９３７号公報参照）。
【０００４】
【発明が解決しようとする課題】
しかしながら、上述した従来のコネクタハウジング３０においては、その弾性ロック片３２に案内溝３３が形成されていて、弾性ロック片３２を相手側ピンコネクタのハウジング４０に対して案内する機能を備えてはいるものの、その変形を防止する機能を備えていないために、コネクタハウジング３０を相手側ピンコネクタのハウジング４０に挿入する以前に、弾性ロック片３２に対し図７の下方側から過度の外力が加わった場合に弾性ロック片３２が破壊されるという問題があった。
【０００５】
そこで、弾性ロック片３２の過度の外力による変形を防止するために、弾性ロック片３２を覆うようなフードを設けることも考えられるが、その場合には、案内溝３３をも覆ってしまうため、コネクタハウジング３０を相手側ピンコネクタのハウジング４０に挿入することが不可能になる。
【０００６】
したがって、本発明の目的は、上記案内機能と、弾性ロック片の過度の外力による変形を防止する機能とをコンパクトに兼ね備えたコネクタハウジングを提供することにある。
【０００７】
【課題を解決するための手段】
本発明によるコネクタハウジングは、相手側コネクタハウジングが備えている嵌合開口に対して挿入嵌合されるハウジング本体と、このハウジング本体に設けられて、相手側コネクタハウジングを嵌合位置にロックする弾性ロック片とを備えた構成において、上記ハウジング本体の嵌合端から嵌合方向に延設されて、相手側コネクタハウジングに形成された係合凸部を案内し、かつ底部に上記弾性ロック片を露出させた案内開口と、この案内開口の側壁を形成し、かつ上記弾性ロック片に当接可能なフードとを備えてなることを特徴とするものである。
【０００８】
【発明の効果】
本発明によるコネクタハウジングは、相手側コネクタハウジングに形成された係合凸部を案内し、かつ底部に弾性ロック片を露出させたする案内開口と、この案内開口の側壁を形成し、かつ上記弾性ロック片に当接可能なフードとを備えていることにより、上記フードが相手側コネクタハウジングに対する嵌合時の案内機能を有するのみでなく、相手側コネクタハウジングとの非嵌合時に弾性ロック片に過度の外力が加えられた場合であっても、弾性ロック片が上記フードに当接することにより、弾性ロック片の変形が防止される効果がある。
【０００９】
【発明の実施の形態】
以下、本発明の実施の形態を図面に基づいて説明する。
【００１０】
図１は、本発明によるコネクタハウジングの一実施の形態を示す正面図、図２は同平面図、図３は図１の III−III 線に沿った断面図、図４は相手側ピンコネクタの正面図、図５は図４のＶ−Ｖ線に沿った断面図、図６は図１のコネクタハウジングに図４のピンコネクタが嵌合した状態を示す図１の III−III 線および図４のＶ−Ｖ線に沿った断面図である。
【００１１】
図１〜図３に示す本実施の形態によるコネクタハウジング１は、図４および図５に示す相手側ピンコネクタ１０の受容型の絶縁性ハウジング１１の嵌合開口１２内に挿入嵌合される挿入型の絶縁性ハウジング本体２を備えている。このハウジング本体２は、その内部を嵌合方向に貫通する複数個のリセプタクルコンタクト受容通路７を備えており、各リセプタクルコンタクト受容通路７には、ピンコネクタ１０のコネクタピン１３を受容するリセプタクルコンタクト（図示は省略）がそれぞれ収容されるようになっている。
【００１２】
ピンコネクタ１０のハウジング１１の上壁部１５の入口には、係合凸部１４が嵌合開口１２に向けて突設されている。そして、ハウジング本体２の上面には、ピンコネクタ１０の係合凸部１４に対応する位置に、この係合凸部１４を案内する上方に開口した案内開口６が、ハウジング本体２の嵌合端２Ａから嵌合方向に延びる態様で形成されている。
【００１３】
上記案内開口６の底部には、ハウジング本体２の嵌合端２Ａ側を支点として嵌合端２Ａから嵌合方向に延びる揺動可能な弾性ロック片３が露出している。この弾性ロック片３には、その後端にロック解除用の操作部３Ａが一体に形成され、かつ、上面には、図６に示すように、ピンコネクタ１０の係合凸部１４に弾性的に係合してピンコネクタ１０を嵌合位置にロックし得る係合突起５が突設されている。
【００１４】
弾性ロック片３は、その幅が案内開口６の両側壁４，４の間隔よりも若干広幅に形成されている。すなわち、嵌合方向に延びる上記案内開口６の両側壁４，４は、弾性ロック片３の両側縁部３Ｂ，３Ｂの上方に覆い被さるように案内開口６内に迫り出して弾性ロック片３のためのフードを構成しており、弾性ロック片３の両側縁部３Ｂ，３Ｂの上面が案内開口６の両側壁４，４の迫り出し部分４Ａ，４Ａの下面に当接可能になっている。したがって、ピンコネクタ１０の非嵌合時に弾性ロック片３に過度の外力が加えられても、弾性ロック片３が両側壁４，４の迫り出し部分４Ａ，４Ａの下面に当接することによってその変形が防止される。
【００１５】
また、ハウジング本体２にはダブルロック部材（図示は省略）挿入用の開口８が設けられている。このダブルロック部材は、リセプタクルコンタクトがリセプタクルコンタクト受容通路７内に収納された後にハウジング本体２内に挿入されて、通路７の上壁部に形成されたハウジングランス９と共働してリセプタクルコンタクトを二重に係止する機能を有する。
【００１６】
以上の構成において、本実施の形態によるコネクタハウジング１がピンコネクタ１０のハウジング１１内に挿入されると、ハウジング１１に形成されている係合凸部１４が案内開口６に案内されて案内開口６内に挿入されるが、案内開口６の底部に露出している弾性ロック片３の係合突起５に係合凸部１４が当接すると、弾性ロック片３は係合凸部１４によってその操作部３Ａ側が下方へ向かう方向に弾性的に揺動せしめられるから、係合凸部１４の通過が許容され、係合凸部１４が係合突起５を通過した時点で、弾性ロック片３が復元して、図６に示すように係合突起５が係合凸部１４に係合し、ピンコネクタ１０のハウジング１１が嵌合位置にロックされた状態となる。
【００１７】
また、この嵌合状態において、弾性ロック片３の操作部３Ａを下方へ押圧することにより、係合突起５と係合凸部１４との係合が解除されるから、コネクタハウジング１をピンコネクタ１０のハウジング１１から引き抜くことができる。
【００１８】
本実施の形態によるコネクタハウジング１では、案内開口６の両側壁４，４が案内開口６の底部に露出する弾性ロック片３の両側縁部３Ｂ，３Ｂの上方に覆い被さるように案内開口６内に迫り出して、弾性ロック片３のためのフードを構成しているため、案内開口６の両側壁４，４は、ピンコネクタ１０に対する嵌合時の案内機能を有するのみでなく、ピンコネクタ１０のハウジング１１の非嵌合時に弾性ロック片３に過度の外力が加えられた場合には、弾性ロック片３の両側縁部３Ｂ，３Ｂが案内開口６の両側壁４，４の迫り出し部分４Ａ，４Ａの下面に当接することにより、弾性ロック片３の変形が防止される。
【００１９】
すなわち、弾性ロック片３のためのフードを構成している両側壁４，４は、弾性ロック片３の変形防止機構としての機能をも有するものである。
【図面の簡単な説明】
【図１】本発明によるコネクタハウジングの一実施の形態を示す正面図
【図２】同  平面図
【図３】図１の III−III 線に沿った断面図
【図４】相手側ピンコネクタの正面図
【図５】図４のＶ−Ｖ線に沿った断面図
【図６】図１のコネクタハウジングに図４のピンコネクタが嵌合した状態を示す図１の III−III 線および図４のＶ−Ｖ線に沿った断面図
【図７】従来のコネクタハウジングおよびこれに嵌合するピンコネクタのハウジングを示す斜視図
【符号の説明】
１    コネクタハウジング
２    ハウジング本体
３    弾性ロック片
４    案内開口の側壁（フード）
５    係合突起
６    案内開口
７    リセプタクルコンタクト受容通路
１０    ピンコネクタ
１１    ピンコネクタのハウジング
１２    嵌合開口
１３    コネクタピン
１４    係合凸部
【図１】
0003770334.tif 000002
【図２】
0003770334.tif 000003
【図３】
0003770334.tif 000004
【図４】
0003770334.tif 000005
【図５】
0003770334.tif 000006
【図６】
0003770334.tif 000007
【図７】
0003770334.tif 000008